(57)【要約】【課題】一方が階間胴差部、もう一方が一般部である外壁隅部において、同隅部の縦目地をしっかりとした止水状態にすることができ、しかも、その施工を容易に行うことができる、外壁隅部の止水構造を提供する。【解決手段】一方の外壁部１の側において、胴差部止水板９と外壁入隅部との間に階間隅部用発泡樹脂断熱材１５が介設され、該階間隅部用発泡樹脂断熱材１５と、もう一方の外壁部２の発泡樹脂断熱材１４との間に形成される縦目地１６に目地止水材１７が設置されている。【選択図】      図１
2005256511.tif 000002
【特許請求の範囲】
【請求項１】
外壁が、外壁面材の背後に発泡樹脂断熱材を備えたものからなり、
外壁隅部を挟む一方の外壁部の階間胴差部が、前記隅部を挟むもう一方の外壁部の一般部と隣り合い、
前記一方の外壁部の階間胴差部には、階上階下の発泡樹脂断熱材にわたすように胴差部止水材が設置され、
該一方の外壁部の側において、該止水材と外壁隅部との間に階間隅部用発泡樹脂断熱材が介設され、
該階間隅部用発泡樹脂断熱材と、前記もう一方の外壁部の発泡樹脂断熱材との間に形成される縦目地に目地止水材が設置されていることを特徴とする、一方が階間胴差部もう一方が一般部である外壁隅部の止水構造。
【請求項２】
前記胴差部止水材が板状のものからなり、該胴差部止水板の端部が、階間隅部用発泡樹脂断熱材に設けられた切込み部に差し込まれて、それらの間が止水状態に連続している請求項１に記載の止水構造。
【請求項３】
外壁が、外壁面材の背後に発泡樹脂断熱材を備えたものからなり、
外壁隅部を挟む一方の外壁部の階間胴差部が、前記隅部を挟むもう一方の外壁部の一般部と隣り合い、
前記一方の外壁部の階間胴差部には、階上階下の発泡樹脂断熱材にわたすように胴差部止水板が設置され、
該胴差部止水板の端部に、前記もう一方の外壁部の発泡樹脂断熱材との間に縦目地を形成する目地用加工部が備えられ、該目地用加工部と前記もう一方の外壁部の発泡樹脂断熱材との間の縦目地に目地止水材が設置されていることを特徴とする、一方が階間胴差部もう一方が一般部である外壁隅部の止水構造。
【請求項４】
胴差部止水板の前記目地用加工部が、目地止水材を背後から支える支え部を備えている請求項３に記載の、一方が階間胴差部もう一方が一般部である外壁隅部の止水構造。
【発明の詳細な説明】
【技術分野】
【０００１】
本発明は、一方が階間胴差部もう一方が一般部である外壁隅部の止水構造に関する。
【背景技術】
【０００２】
建物外壁の階間胴差部の止水構造として、階上階下の外壁面材の背後に発泡樹脂断熱材を備えさせ、両発泡樹脂断熱材にわたすように胴差部止水材、例えば止水板を設置したものが提供されている。
【０００３】
一方、敷地が傾斜地であったり、ガレージの上部空間を有効活用しようとする場合、また、狭小地でも広い空間スペースを確保しようとする場合などにおいて、建物の床を半階分ずらせる、いわゆるスキップフロアーを備えた建物も提供されている。
【発明の開示】
【発明が解決しようとする課題】
【０００４】
しかしながら、例えば上記のスキップフロアーを備えた建物では、外壁隅部のうちの例えば入隅部において、入隅部を挟む一方の外壁部の階間胴差部と、同入隅部を挟むもう一方の外壁部の一般部とが互いに隣り合ってしまい、そのため、階間胴差部の止水構造として、上記のような止水構造を採用すると、外壁入隅部を挟む一方が発泡樹脂断熱材で、もう一方が胴差部止水板となって、外壁入隅部の縦目地の止水の施工をいかにして行うかが問題となる。
【０００５】
本発明は、上記のような問題点に鑑みてなされたものであって、一方が階間胴差部、もう一方が一般部である外壁隅部において、同隅部の縦目地をしっかりとした止水状態にすることができ、しかも、その施工を容易に行うことができる、外壁隅部の止水構造を提供することを課題とする。
【課題を解決するための手段】
【０００６】
上記の課題は、外壁が、外壁面材の背後に発泡樹脂断熱材を備えたものからなり、
外壁隅部を挟む一方の外壁部の階間胴差部が、前記隅部を挟むもう一方の外壁部の一般部と隣り合い、
前記一方の外壁部の階間胴差部には、階上階下の発泡樹脂断熱材にわたすように胴差部止水材が設置され、
該一方の外壁部の側において、該止水材と外壁隅部との間に階間隅部用発泡樹脂断熱材が介設され、
該階間隅部用発泡樹脂断熱材と、前記もう一方の外壁部の発泡樹脂断熱材との間に形成される縦目地に目地止水材が設置されていることを特徴とする、一方が階間胴差部もう一方が一般部である外壁隅部の止水構造（第１発明）によって解決される。
【０００７】
この構造では、一方の外壁部の側において、その胴差部止水材と外壁隅部との間に、階間隅部用発泡樹脂断熱材が介設されている。そして、この階間隅部用発泡樹脂断熱材と、前記もう一方の外壁部の発泡樹脂断熱材との間に形成される縦目地に目地止水材が設置された構造となっている。従って、一方が階間胴差部、もう一方が一般部である外壁隅部であるにもかかわらず、同隅部の縦目地は、両側から発泡樹脂断熱材で挟まれたかたちとなって、同縦目地に目地止水材を設置することで、しっかりとした止水状態を形成することができると共に、これら発泡樹脂断熱材間に目地止水材を設置するだけでよいので、止水の施工も容易に行うことができる。縦目地内に面する階間隅部用発泡樹脂断熱材の端部加工も、発泡樹脂断熱材の容易加工性を利用して、容易に行うことができる。
【０００８】
しかも、前記一方の外壁部の側において、階間隅部用発泡樹脂断熱材と胴差部止水材とは、直線ライン上で隣り合うので、それらの間の止水も施工容易に行うことができると共に、それらの間をしっかりとした止水状態にすることができる。
【０００９】
加えて、階間隅部用発泡樹脂断熱材の設置に関しても、階間隅部用発泡樹脂断熱材と、階上階下の発泡樹脂断熱材とは直線ライン上で隣り合うので、それらの間の止水を施工容易に行うことができると共に、それらの間の止水状態もしっかりとしたものにすることができる。
【００１０】
この止水構造において、胴差部止水材が板状のものからなり、該胴差部止水板の端部が、階間隅部用発泡樹脂断熱材に設けられた切込み部に差し込まれて、それらの間が止水状態に連続しているのもよい。この場合は、胴差部止水板の端部を階間隅部用発泡樹脂断熱材の切込み部に差し込むだけで止水状態にすることができ、施工を容易に行うことができる。しかも、切込み部は、発泡樹脂断熱材の容易加工性を利用して、発泡樹脂断熱材に容易に形成することができる。
【００１１】
また、上記の課題は、外壁が、外壁面材の背後に発泡樹脂断熱材を備えたものからなり、
外壁隅部を挟む一方の外壁部の階間胴差部が、前記隅部を挟むもう一方の外壁部の一般部と隣り合い、
前記一方の外壁部の階間胴差部には、階上階下の発泡樹脂断熱材にわたすように胴差部止水板が設置され、
該胴差部止水板の端部に、前記もう一方の外壁部の発泡樹脂断熱材との間に縦目地を形成する目地用加工部が備えられ、該目地用加工部と前記もう一方の外壁部の発泡樹脂断熱材との間の縦目地に目地止水材が設置されていることを特徴とする、一方が階間胴差部もう一方が一般部である外壁隅部の止水構造（第２発明）によっても解決される。
【００１２】
この構造では、一方の外壁部に備えられた胴差部止水板の端部に、もう一方の外壁部の発泡樹脂断熱材との間に縦目地を形成する目地用加工部が備えられている。そして、胴差部止水板の端部の目地用加工部と、前記もう一方の外壁部の発泡樹脂断熱材との間の縦目地に目地止水材が設置された構造となっている。従って、一方が階間胴差部、もう一方が一般部である外壁隅部であるにもかかわらず、同隅部の縦目地は、両側から胴差部止水板端部の目地用加工部と、発泡樹脂断熱材とで挟まれたかたちとなって、同縦目地に目地止水材を設置することで、しっかりとした止水状態を形成することができると共に、同縦目地に目地止水材を設置するだけでよいので、止水の施工も容易に行うことができる。
【００１３】
この止水構造において 、胴差部止水板の目地用加工部が、目地止水材を背後から支える支え部を備えているのもよい。この場合は、目地止水材を外壁隅部の縦目地の適正深さ位置に施工容易に設置することができると共に、外壁隅部の縦目地を挟む一方が板状の胴差止水板であることをうまく利用して、上記のような支え部を容易に備えさせることができる。
【発明の効果】
【００１４】
本発明は、以上のとおりのものであるから、一方が階間胴差部、もう一方が一般部である外壁隅部において、同隅部の縦目地をしっかりとした止水状態にすることができ、しかも、その施工を容易に行うことができる。
【発明を実施するための最良の形態】
【００１５】
次に、本発明の実施最良形態を図面に基づいて説明する。
【００１６】
図１〜図４に示す第１実施形態の止水構造は、スキップフロアーを備えた建物の外壁入隅部についてのもので、１は入隅部を挟む一方の外壁部、２は同入隅部を挟むもう一方の外壁部であり、一方の外壁部１の階間胴差部３ともう一方の外壁部２の一般部とが外壁入隅部を介して隣り合って備えられている。
【００１７】
前記一方の外壁部１は、図１等に示すように、窯業系などの階上外壁面材５の背後に発泡樹脂断熱材７が備えられると共に、同じく窯業系などの階下外壁面材６の背後にも発泡樹脂断熱材８が備えられ、階間胴差部３においては、胴差部止水材としての金属製などの止水板９が、その上縁部を階上発泡樹脂断熱材７の背面側に突出させると共に、下縁部を階下発泡樹脂断熱材８の正面側に突出させるようにして備えられ、胴差部止水板９に受けられた水が、階下外壁面材６と階下発泡樹脂断熱材８との間の通気部１０を通じて下方に流れ去るようになされていることで、階間胴差部３の止水が行われるようになされている。なお、１１は階間胴差部化粧面材である。
【００１８】
前記もう一方の外壁部２は、前記一方の外壁部１の階間胴差部３の対応高さ位置において階間胴差部は備えられておらず、その部分については、窯業系などの外壁面材１３の背後に発泡樹脂断熱材１４が備えられた構造となっている。
【００１９】
そして、前記一方の外壁部１の側において、胴差部止水板９は、外壁入隅部の位置よりも控えられ、胴差部止水板９と外壁入隅部との間に、階間隅部用発泡樹脂断熱材１５が介設され、一方の外壁部１の階上階下の発泡樹脂断熱材７，８及び階間隅部用発泡樹脂断熱材１５と、前記もう一方の外壁部２の発泡樹脂断熱材１４との間に形成される外壁入隅部の縦目地１６に目地止水材１７が設置され、外壁入隅部の縦目地１６が止水されている。
【００２０】
また、階間隅部用発泡樹脂断熱材１５の反隅部側の端部には、図２に示すように、階間止水板９の端部を差し込む切込み部１８が形成され、該切込み部１８に階間止水板９の端部が差し込まれることで、階間止水板９と階間隅部用発泡樹脂断熱材１５との間が止水状態にされている。なお、この差込み部はブチルシールなどを用いて止水性能を高めるようにしてもよい。また、前記一方の外壁部１において、階間隅部用発泡樹脂断熱材１５と、階上階下の発泡樹脂断熱材７，８との間もブチルシールなどを用いて止水処理をしておけばよい。
【００２１】
上記の構造では、一方の外壁部１の側において、その胴差部止水板９と外壁入隅部との間に階間隅部用発泡樹脂断熱材１５が介設され、この階間隅部用発泡樹脂断熱材１５と、もう一方の外壁部２の発泡樹脂断熱材１４との間に形成される縦目地１６に目地止水材１７が設置された構造となっているので、一方が階間胴差部３、もう一方が一般部である外壁隅部であるにもかかわらず、同隅部の縦目地１６は、両側から発泡樹脂断熱材１４，１５で挟まれたかたちとなって、同縦目地１６に目地止水材１７を設置することで、しっかりとした止水状態を形成することができ、その施工も容易に行うことができる。縦目地１６内に面する階間隅部用発泡樹脂断熱材１５の端部の加工も、発泡樹脂断熱材の容易加工性を利用して、容易に行うことができる。
【００２２】
また、階間隅部用発泡樹脂断熱材１５と胴差部止水板９とは、一方の外壁部１の側において直線ライン上で隣り合うので、それらの間の止水も施工容易に行うことができると共に、それらの間をしっかりとした止水状態にすることができる。特に、本実施形態では、階間隅部用発泡樹脂断熱材１５に設けられた切込み部１８に胴差部止水板９の端部が差し込まれることで、それらの間を止水するようになされているので、施工を容易に行うことができる。
【００２３】
更に、階間隅部用発泡樹脂断熱材１５と、階上階下の発泡樹脂断熱材７、８との間の止水に関しても、これら発泡樹脂断熱材１５，７，８は上下方向の直線ライン上で隣り合うので、それらの間の止水を施工容易に行うことができると共に、それらの間の止水状態もしっかりとしたものにすることができる。
【００２４】
図５〜図８に示す第２実施形態の止水構造は、図６に示すように、胴差部止水板９の端部が、板曲げ加工、プレス加工などによって、前記もう一方の外壁部２の発泡樹脂断熱材１４との間に縦目地１６を形成する目地用加工部２１に成形され、第１実施形態におけるような階間隅部用発泡樹脂断熱材は省略され、該目地用加工部２１ともう一方の外壁部２の発泡樹脂断熱材１４との間の縦目地１６に目地止水材１７が設置されている。また、胴差部止水板９の目地用加工部２１には、目地止水材１７を背後から支える板状の支え部２２も備えられている。
【００２５】
更に、胴差部止水板９の目地用加工部２１の上端部は、階上発泡樹脂断熱材７の下端部の縦目地隣接部分に外から重なる部分２３を備えていると共に、目地用加工部２１の下端部には、階下発泡樹脂断熱材８の上端部の縦目地隣接部分に外から重なる部分２４を備えており、胴差部止水板９を設置すれば、外壁入隅部における、胴差部止水板９と階上階下の発泡樹脂断熱材７，８との間の止水状態が確保されるようになされている。その他は第１実施形態と同様である。
【００２６】
この止水構造では、一方の外壁部１に備えられた胴差部止水板９の端部に、もう一方の外壁部２の発泡樹脂断熱材１４との間に縦目地１６を形成する目地用加工部２１が備えられ、胴差部止水板９の端部の目地用加工部２１と、もう一方の外壁部２の発泡樹脂断熱材１４との間の縦目地１６に目地止水材１７が設置された構造となっているので、一方が階間胴差部３、もう一方が一般部である外壁入隅部であるにもかかわらず、同隅部の縦目地１６は、両側から胴差部止水板９の端部の目地用加工部２１と、発泡樹脂断熱材１４とで挟まれたかたちとなって、同縦目地１６に目地止水材１７を設置することで、しっかりとした止水状態を形成することができると共に、その施工も容易に行うことができる。
【００２７】
特に、本実施形態では、胴差部止水板９の目地用加工部２１に、目地止水材１７を背後から支える支え部２２が備えているので、目地止水材１７を外壁入隅部の縦目地１６の適正深さ位置に施工容易に設置することができると共に、外壁入隅部の縦目地１６を挟む一方が板状の胴差止水板であることをうまく利用して、上記のような支え部２２を板片の取付けや一体成形などにより容易に備えさせることができる。
【００２８】
以上に、本発明の実施形態を示したが、本発明はこれに限られるものではなく、発明思想を逸脱しない範囲で各種の変更が可能である。例えば、上記の実施形態では、本発明を外壁入隅部に用いた場合を示したが、外壁出隅部に用いることもできる。また、第１発明では、胴差止水材として、シート状などの止水材が用いられてもよい。更に、本発明は、スキップフロアーを備える建物に限らず、外壁隅部を挟む一方の外壁部の階間胴差部が、該隅部を挟むもう一方の外壁部の一般部と隣り合うような各種建物に対して、広く用いることができるものである。
【図面の簡単な説明】
【００２９】
【図１】第１実施形態の止水構造を示すもので、階間胴差部化粧面材を分離させた状態の斜視図である。
【図２】図（イ）は胴差部止水板と階間隅部用発泡樹脂断熱材とを分離状態にして示す斜視図、図（ロ）は胴差部止水板の端部を階間隅部用発泡樹脂断熱材の切込み部に差し込んだ状態の斜視図である。
【図３】同止水構造部分を一方の外壁部の側から見た断面側面図である。
【図４】図（イ）は図３のＩ−Ｉ線断面図、図（ロ）は図３のＩＩ−ＩＩ線断面図である。
【図５】第２実施形態の止水構造を示すもので、階間胴差部化粧面材を分離させた状態の斜視図である。
【図６】図（イ）は胴差部止水板と階上階下の発泡樹脂断熱材を分離状態にして示す斜視図である。
【図７】同止水構造部分を一方の外壁部の側から見た断面側面図である。
【図８】図（イ）は図７のＩＩＩ−ＩＩＩ線断面図、図（ロ）は図７のＩＶ−ＩＶ線断面図である。
【符号の説明】
【００３０】
１…一方の外壁部
２…もう一方の外壁部
３…階間胴差部
７…階上発泡樹脂断熱材
８…階下発泡樹脂断熱材
９…胴差部止水板（胴差部止水材）
１４…発泡樹脂断熱材
１５…階間隅部用発泡樹脂断熱材
１６…縦目地
１７…目地止水材
１８…切込み部
２１…目地用加工部
２２…支え部
【図１】
2005256511.tif 000003
【図２】
2005256511.tif 000004
【図３】
2005256511.tif 000005
【図４】
2005256511.tif 000006
【図５】
2005256511.tif 000007
【図６】
2005256511.tif 000008
【図７】
2005256511.tif 000009
【図８】
2005256511.tif 000010